(57)【要約】      （修正有）【課題】様々な負荷に応じて制御可能なブリッジ整流ユニットが異なる導通抵抗を発生させ、給電効率を高めつつ省エネを達成させる電源供給装置を提供する。【解決手段】電源供給装置は、交流入力電圧により全波整流出力電圧を発生させて負荷を駆動させ、且つ少なくとも１つの制御信号に基づいて交流入力電圧の正の半周期間及び負の半周期間のうちの少なくとも１つの期間における導通抵抗を制御させるブリッジ整流ユニットと、パルス変調信号に基づいて少なくとも１つの制御信号を発生させる駆動回路ユニットと、駆動回路ユニットに接続され、負荷のパワーに基づいてパルス変調信号のデューティ比を決定させて駆動回路ユニットを駆動させ、パワーの数値の違いに応じて導通抵抗を制御可能なブリッジ整流ユニットの導通抵抗の調整を行い、これによって電源供給装置の電源変換効率が向上するデジタルマイクロコントローラユニットと、を備える。【選択図】図１
0003221729.tif 000002
【実用新案登録請求の範囲】
【請求項１】
交流入力電圧によって全波整流出力電圧を発生させて負荷を駆動させ、且つ少なくとも１つの制御信号に基づいて前記交流入力電圧の正の半周期間及び負の半周期間のうちの少なくとも１つの半周期間における導通抵抗を制御させる少なくとも１つの制御端を有する導通抵抗を制御可能なブリッジ整流ユニットと、
前記導通抵抗を制御可能なブリッジ整流ユニットに接続され、パルス変調信号に基づいて前記少なくとも１つの制御信号を発生させる駆動回路ユニットと、
前記負荷のパワーを測定するための負荷パワー測定ユニットと、
前記駆動回路ユニット及び前記負荷パワー測定ユニットに接続され、前記パワーに基づいて前記パルス変調信号のデューティ比を決定させて前記駆動回路ユニットを駆動させ、前記パワーの数値の違いに応じて前記導通抵抗を制御可能なブリッジ整流ユニットの前記導通抵抗の調整を行い、これによって電源供給装置の電源変換効率が向上するデジタルマイクロコントローラユニットと、を備えることを特徴とする負荷適応性を有する電源供給装置。
【請求項２】
前記導通抵抗を制御可能なブリッジ整流ユニットは４つの整流ユニットで構成され、少なくとも１つの前記整流ユニットは導通抵抗を制御可能な整流ユニットであり、且つ前記導通抵抗を制御可能な整流ユニットは前記制御信号に基づいてその導通抵抗を制御させることを特徴とする請求項１に記載の負荷適応性を有する電源供給装置。
【請求項３】
前記導通抵抗を制御可能な整流ユニットはダイオード及びトランジスタで構成され、前記ダイオードの両端は前記トランジスタのチャンネルに並列し、且つ前記トランジスタの制御端は前記制御信号に接続されることを特徴とする請求項２に記載の負荷適応性を有する電源供給装置。
【請求項４】
前記トランジスタは電界効果トランジスタであることを特徴とする請求項３に記載の負荷適応性を有する電源供給装置。
【請求項５】
前記デジタルマイクロコントローラユニットは制御プログラムを保存するためのメモリーユニットを有することを特徴とする請求項１に記載の負荷適応性を有する電源供給装置。
【考案の詳細な説明】
【技術分野】
【０００１】
本考案は、電源供給装置に関し、より詳しくは、負荷適応性を有する電源供給装置に関する。
【背景技術】
【０００２】
各種電源変換器の応用において、電源変換効率に対しては様々な要求がある。目下既知のエネルギー効率ランクはスタンダード、ブロンズ、シルバー、ゴールド、プラチナ、チタン等の５段階のランクに分けられる。そのうちのチタンが最高ランクに位置し、特に１０％の負荷が要求される状況でエネルギー効率値が規定を満たさねばならない。他の４つのランクは２０％、５０％、１００％の負荷が要求される条件下で規定のエネルギー効率値を達成させねばならない。
【考案の概要】
【考案が解決しようとする課題】
【０００３】
しかしながら、軽度の負荷から重度の負荷まで全て規定のエネルギー効率値を達成させることは容易ではなかった。そこで、本考案者は上記の欠点が改善可能と考え、鋭意検討を重ねた結果、合理的設計で上記の課題を効果的に改善する本考案の提案に到った。
【０００４】
本考案はこうした状況に鑑みてなされたものであり、その目的は、負荷適応性を有する電源供給装置を提供することにある。つまり、デジタルマイクロコントローラユニットが負荷のパワーに反応することにより、軽度の負荷から重度の負荷まで様々な負荷に応じて制御可能なブリッジ整流ユニットが異なる導通抵抗を発生させ、これにより給電効率を高めつつ省エネを達成させる。
【課題を解決するための手段】
【０００５】
上記課題を解決するために、本考案のある態様の負荷適応性を有する電源供給装置は、交流入力電圧によって全波整流出力電圧を発生させて負荷を駆動させ、且つ少なくとも１つの制御信号に基づいて前記交流入力電圧の正の半周期間及び負の半周期間のうちの少なくとも１つの半周期間における導通抵抗を制御させる少なくとも１つの制御端を有する導通抵抗を制御可能なブリッジ整流ユニットと、前記導通抵抗を制御可能なブリッジ整流ユニットに接続され、パルス変調信号に基づいて前記少なくとも１つの制御信号を発生させる駆動回路ユニットと、前記負荷のパワーを測定するための負荷パワー測定ユニットと、前記駆動回路ユニット及び前記負荷パワー測定ユニットに接続され、前記パワーに基づいて前記パルス変調信号のデューティ比を決定させて前記駆動回路ユニットを駆動させ、前記パワーの数値の違いに応じて前記導通抵抗を制御可能なブリッジ整流ユニットの前記導通抵抗の調整を行い、これによって電源供給装置の電源変換効率が向上するデジタルマイクロコントローラユニットと、を備える。
【０００６】
本考案の好適例において、前記導通抵抗を制御可能なブリッジ整流ユニットは４つの整流ユニットで構成され、少なくとも１つの前記整流ユニットは導通抵抗を制御可能な整流ユニットであり、且つ前記導通抵抗を制御可能な整流ユニットは前記制御信号に基づいてその導通抵抗を制御させる。
【０００７】
本考案の好適例において、前記導通抵抗を制御可能な整流ユニットはダイオード及びトランジスタで構成され、前記ダイオードの両端は前記トランジスタのチャンネルに並列し、且つ前記トランジスタの制御端は前記制御信号に接続される。
【０００８】
本考案の好適例において、前記トランジスタは電界効果トランジスタである。
【０００９】
本考案の好適例において、前記デジタルマイクロコントローラユニットは制御プログラムを保存するためのメモリーユニットを有する。
【図面の簡単な説明】
【００１０】
【図１】本考案の一実施形態に係る負荷適応性を有する電源供給装置を示すブロック図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
図１は本考案の一実施形態に係る負荷適応性を有する電源供給装置を示すブロック図である。前記負荷適応性を有する電源供給装置は、導通抵抗を制御可能なブリッジ整流ユニット１００と、駆動回路ユニット１１０と、負荷パワー測定ユニット１２０と、デジタルマイクロコントローラユニット１３０と、を備える。
【００１３】
導通抵抗を制御可能なブリッジ整流ユニット１００は、交流入力電圧ＶＡＣによって全波整流出力電圧ＶＲＥＣを発生させて負荷２００を駆動させる。前記導通抵抗を制御可能なブリッジ整流ユニット１００は、少なくとも１つの制御信号ＳＷに基づいて前記交流入力電圧ＶＡＣの正の半周期間及び負の半周期間のうちの少なくとも１つの半周期間における導通抵抗を制御させる少なくとも１つの制御端を有する。一実施形態において、前記導通抵抗を制御可能なブリッジ整流ユニット１００は４つの整流ユニット（図示省略）で構成され、且つそのうちの少なくとも１つの前記整流ユニットは導通抵抗を制御可能な整流ユニットである。すなわち、少なくとも１つの前記整流ユニットが前記制御信号に基づいて導通抵抗を制御させる。例えば、前記導通抵抗を制御可能な整流ユニットはダイオード及びトランジスタで構成され、前記ダイオードの両端が前記トランジスタのチャンネルに並列し、且つ前記トランジスタの制御端が前記制御信号ＳＷに接続される。可能な実施形態では、前記トランジスタは電界効果トランジスタまたは他の３端子パワースイッチでもよい。
【００１４】
駆動回路ユニット１１０は前記導通抵抗を制御可能なブリッジ整流ユニット１００に接続され、且つパルス変調信号ＰＷＭに基づいて前記少なくとも１つの制御信号ＳＷを発生させるために用いられる。
【００１５】
負荷パワー測定ユニット１２０は前記負荷２００のパワーＰＬを測定すると共にこれをデジタルマイクロコントローラユニット１３０に供給するために用いられる。
【００１６】
デジタルマイクロコントローラユニット１３０は、制御プログラムを保存するためのメモリーユニットを有する。前記メモリーユニットは前記駆動回路ユニット１１０及び前記負荷パワー測定ユニット１２０に接続され、前記パワーＰＬに基づいて前記パルス変調信号ＰＷＭのデューティ比を決定させて前記駆動回路ユニット１１０を駆動させる。前記パワーＰＬの数値の違いに応じて前記導通抵抗を制御可能なブリッジ整流ユニット１００の前記導通抵抗が調整されるため、前記電源供給装置の電源変換効率が向上する。
【００１７】
上述のように、前述の設計により、本考案に係る負荷適応性を有する電源供給装置はデジタルマイクロコントローラユニットが負荷のパワーに反応するため、軽度の負荷から重度の負荷まで様々な負荷に対応させるように制御可能なブリッジ整流ユニットが異なる導通抵抗を発生させ、これにより給電効率を高めつつ省エネを達成させる。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１００  導通抵抗を制御可能なブリッジ整流ユニット
１１０  駆動回路ユニット
１２０  負荷パワー測定ユニット
１３０  デジタルマイクロコントローラユニット
２００  負荷
【図１】
0003221729.tif 000003